(57)【要約】【課題】安全性を確保した上で遠隔制御を行うことができる携帯端末装置、その制御方法及びプログラムを提供する。【解決手段】携帯端末装置１０は、リモートコントロール機能を有する。リモートコントロール機能が、着信又は着呼に応答して、発信元又は発呼元が登録されている発信元又は発呼元と一致するか否かを判定する判定装置４０と、判定装置４０によって一致が判定されると、発信元又は発呼元から信号入力を受け付ける信号入力受付装置６０と、信号入力受付装置６０で受け付けられた信号入力によって指定された所定の処理を実行する信号処理部２０と、によって実行される。【選択図】図１
2010109853.tif 000002
【特許請求の範囲】
【請求項１】
リモートコントロール機能を有する携帯端末装置であって、前記リモートコントロール機能が、
着信又は着呼に応答して、発信元又は発呼元が登録されている発信元又は発呼元と一致するか否かを判定する判定装置と、
前記判定装置によって一致が判定されると、前記発信元又は発呼元から信号入力を受け付ける信号入力受付装置と、
前記信号入力受付装置で受け付けられた信号入力によって指定された所定の処理を実行する信号処理部と、によって実行されることを特徴とする携帯端末装置。
【請求項２】
前記信号処理部は、前記受け付けられた信号入力に従って、処理内容を記憶する記憶装置を検索して、前記信号入力に対応する処理を選択する選択部と、
前記選択部によって選択された処理を実行する処理実行部とを有する、請求項１に記載の携帯端末装置。
【請求項３】
前記記憶装置に記憶される処理が、携帯端末装置の表示部の表示内容を送信する処理と、携帯端末装置で起動されているプログラムの種類を送信する処理と、処理中のプログラムを停止する処理との少なくとも１つを含む、請求項２に記載の携帯端末装置。
【請求項４】
前記リモートコントロール機能を有効又は無効とする機能選択部を更に有する、請求項１〜３の何れか一に記載の携帯端末装置。
【請求項５】
前記判定装置によって一致が判定されると、前記着信又は着呼に対する報知を行うか否か、及び報知を行う際には報知の態様を選択する報知選択部を更に備える、請求項１〜４の何れか一に記載の携帯端末装置。
【請求項６】
請求項１〜５の何れか一に記載の携帯端末装置と通信を行う携帯端末装置であって、
発信又は発呼に連続して所定の入力があると、該所定の入力に対応する信号を前記発信先又は発呼先の携帯端末装置に送信する信号送信部と、
前記信号送信部の発信先又は発呼先の携帯端末装置からデータを受け付けるデータ受付部と、を備えることを特徴とする携帯端末装置。
【請求項７】
リモートコントロール機能を有する携帯端末装置における制御方法であって、
着信又は着呼に応答して、発信元又は発呼元が登録されている発信元又は発呼元と一致するか否かを判定するステップと、
前記判定するステップによって一致が判定されると、前記発信元又は発呼元から信号入力を受け付けるステップと、
前記受け付けられた信号入力によって指定された所定の処理を実行するステップと、を有することを特徴とする制御方法。
【請求項８】
リモートコントロール機能を有する携帯端末装置のためのコンピュータプログラムであって、
着信又は着呼に応答して、発信元又は発呼元が登録されている発信元又は発呼元と一致するか否かを判定する処理と、
前記判定する処理によって一致が判定されると、前記発信元又は発呼元から信号入力を受け付ける処理と、
前記受け付けられた信号入力によって指定された所定の処理を実行する処理とをコンピュータに実行させることを特徴とするコンピュータプログラム。
【発明の詳細な説明】
【技術分野】
【０００１】
本発明は、携帯端末装置、その制御方法及びプログラムに関し、更に詳しくは、リモートコントロール機能を有する携帯端末装置、その制御方法及びプログラムに関する。
【背景技術】
【０００２】
携帯電話装置等の携帯端末装置は、多機能化が進み、通話だけでなく各種データ蓄積機能や情報通信サービスを利用する機能を備えている。このため、ユーザが携帯端末装置を紛失し、この携帯端末装置が第三者に取得された場合には、第三者が携帯端末装置から個人情報を取得し、またこれを操作して情報通信サービスを不正利用することが考えられる。その結果、携帯端末装置に保存されている個人情報が漏洩する可能性もあり、また、ユーザに意図しない料金が請求される場合がある。
【０００３】
このような状況の下、ユーザが、手元にない自身の携帯端末装置の使用をコントロールする技術が求められている。特許文献１には、携帯端末装置の紛失や盗難等を考慮して、他の携帯端末装置から、紛失等により手元にない携帯端末装置をリモートコントロール（遠隔制御）する技術が記載されている。
【０００４】
特許文献１に記載の技術では、ユーザが手元にない遠隔制御対象である携帯端末装置の各種機能の動作設定を変更したい場合には、他の携帯端末装置から遠隔制御対象の携帯端末装置に対して、動作設定が可能な項目及び項目の設定状態を示すステータス情報の通知を要求する電子メールを送信する。電子メールを受信した遠隔制御対象の携帯端末装置は、予め記憶された遠隔制御を許可するためのパスワードが、電子メールに含まれているパスワードと一致するか否かを判定し認証を行う。遠隔制御対象の携帯端末装置は、認証が成功すれば遠隔制御を許可し、現在のステータス情報を他の携帯端末装置に送信する。
【０００５】
他の携帯端末装置は、受信したステータス情報を参照して、動作設定の変更を指示する電子メールを、遠隔制御対象の携帯端末装置に送信する。この電子メールを受信した遠隔制御対象の携帯端末装置は、電子メールに含まれる指示に従い動作設定の変更を実施する。このようにして、ユーザは、他の携帯端末装置から電子メールを送信することで、手元にない携帯端末装置を遠隔制御できる。
【０００６】
【特許文献１】特開２００６−２５４３１１号公報
【発明の開示】
【発明が解決しようとする課題】
【０００７】
特許文献１の技術では、遠隔制御対象の携帯端末装置に対して電子メールを送信する他の携帯端末装置としては、電子メールの送信機能を有していればよく、特別な機能を有する必要はないので、一般的な装置を使用できる。このため、遠隔制御を許可するパスワードが第三者に知られてしまうと、第三者からの不正な遠隔制御を防止することが困難となる。
【０００８】
本発明は、安全性を確保した上で遠隔制御を行うことができる携帯端末装置、その制御方法及びプログラムを提供することを目的とする。
【課題を解決するための手段】
【０００９】
上記目的を達成するために、本発明は、リモートコントロール機能を有する携帯端末装置であって、前記リモートコントロール機能が、
着信又は着呼に応答して、発信元又は発呼元が登録されている発信元又は発呼元と一致するか否かを判定する判定装置と、
前記判定装置によって一致が判定されると、前記発信元又は発呼元から信号入力を受け付ける信号入力受付装置と、
前記信号入力受付装置で受け付けられた信号入力によって指定された所定の処理を実行する信号処理部と、によって実行されることを特徴とする携帯端末装置を提供する。
【００１０】
また、本発明は、上述の携帯端末装置と通信を行う携帯端末装置であって、
発信又は発呼に連続して所定の入力があると、該所定の入力に対応する信号を前記発信先又は発呼先の携帯端末装置に送信する信号送信部と、
前記信号送信部の発信先又は発呼先の携帯端末装置からデータを受け付けるデータ受付部と、を備えることを特徴とする携帯端末装置を提供する。
【００１１】
また、本発明は、リモートコントロール機能を有する携帯端末装置における制御方法であって、
着信又は着呼に応答して、発信元又は発呼元が登録されている発信元又は発呼元と一致するか否かを判定するステップと、
前記判定するステップによって一致が判定されると、前記発信元又は発呼元から信号入力を受け付けるステップと、
前記受け付けられた信号入力によって指定された所定の処理を実行するステップと、を有することを特徴とする制御方法を提供する。
【００１２】
さらに、本発明は、リモートコントロール機能を有する携帯端末装置のためのコンピュータプログラムであって、
着信又は着呼に応答して、発信元又は発呼元が登録されている発信元又は発呼元と一致するか否かを判定する処理と、
前記判定する処理によって一致が判定されると、前記発信元又は発呼元から信号入力を受け付ける処理と、
前記受け付けられた信号入力によって指定された所定の処理を実行する処理とをコンピュータに実行させることを特徴とするコンピュータプログラムを提供する。
【発明の効果】
【００１３】
本発明の携帯端末装置、その制御方法及びプログラムでは、安全性を確保した上で遠隔制御を行うことができる。
【発明を実施するための最良の形態】
【００１４】
以下、図面を参照し、本発明の例示的な実施の形態について詳細に説明する。図１は、本発明の一実施形態に係る携帯端末装置の構成を示すブロック図である。携帯端末装置１０は、リモートコントロール（遠隔制御）機能を有する電話機である。リモートコントロール機能とは、他の携帯端末装置（他端末）１０Ａからのアクセスを受け付けて、他端末１０Ａの要求に応じた所定の処理を実行する機能をいう。つまり、携帯端末装置１０は、他端末１０Ａから見て遠隔制御対象であり、信号の発信先又は発呼先となる。また、他端末１０Ａは、携帯端末装置１０から見て、信号の発信元又は発呼元となる。
【００１５】
携帯端末装置１０は、図１（ａ）に示すように、無線部１１と、アンテナ１２と、ベースバンド部１３と、信号処理部２０と、キーボード３１と、表示部３２と、認証部（判定部）４０と、記憶部５０と、信号入力受付部６０と、機能選択部７１と、報知選択部７２と、設定部８０とを備える。無線部１１は、アンテナ１２を介して受信した信号をベースバンド部１３に受け渡し、ベースバンド部１３から受け渡された信号をアンテナ１２を介して送信する。ベースバンド部１３は、無線部１１から受け渡された信号を復調して信号処理部２０に出力し、信号処理部２０から入力された信号を変調して、無線部１１に受け渡す。
【００１６】
キーボード３１は、携帯端末装置１０の筐体表面に搭載された複数のテンキー等であって、操作や入力等を行う。表示部３２は、ＬＣＤ（Liquid Crystal Display）であって、受信したメールや電話帳等の情報を表示する。
【００１７】
判定部４０は、着信又は着呼に応答して、発信元又は発呼元と携帯端末装置１０との間で通信回線が確立された後に、発信元又は発呼元の電話番号又は機器ＩＤ等が、記憶部５０に予め登録されている電話番号又は機器ＩＤと一致するか否かを判定する。なお、電話番号又は機器ＩＤ等を、以下では識別情報と称する。
【００１８】
記憶部５０は、判定部４０での判定で用いられる上記識別情報を記憶する。なお、記憶部５０に記憶される識別情報は、キーボード３１等により予め登録される。
【００１９】
信号入力受付部６０は、判定部４０が、発信元又は発呼元の識別情報と記憶部５０に登録された識別情報とが一致する旨の判定を行うと、発信元又は発呼元である他端末１０Ａに対して信号入力の許可信号を送信すると共に、他端末１０Ａからの信号入力を受け付ける。ここで、他端末１０Ａからの信号は、遠隔制御対象である携帯端末装置１０に対して所定の処理を実行させるための指示情報を含む。
【００２０】
信号処理部２０は、信号入力受付部６０で受け付けられた信号入力の指示情報によって指定された所定の処理を実行する。なお、信号処理部２０は、プログラムによって制御されるコンピュータとして構成され、上記各部を制御する機能も備えている。
【００２１】
信号処理部２０は、処理選択部２１と、処理実行部２２とを備えている。処理選択部２１は、他端末１０Ａから受け付けられた信号入力に従って、処理内容を記憶する記憶部５０を検索して、信号入力に対応する処理を選択する。また、処理実行部２２は、処理選択部２１によって選択された処理を実行する。
【００２２】
機能選択部７１は、リモートコントロール機能を有効又は無効とする選択を行う。また、報知選択部７２は、判定部４０で上記両者の識別情報が一致する旨の判定を得ると、他端末１０Ａからの着信又は着呼に対して自端末内での報知を行うか否か、及び報知を行う際の報知の態様を選択する。
【００２３】
設定部８０は、着信又は着呼に引き続いて、他端末１０Ａからの信号入力を受け付けた際に、信号入力に従って携帯端末装置１０がどのような応答や処理を行うかを、携帯端末装置１０で予め設定する機能を有する。設定部８０は、図１（ｂ）に示すように、例えば、外部アクセス方法設定部８１と、モニター内容設定部８２と、設定登録管理部８３とを備える。なお、上記信号処理部２０、機能選択部７１及び報知選択部７２は、設定部８０で予め設定された応答や処理を選択して、各動作を行う。
【００２４】
外部アクセス方法設定部８１は、他端末１０Ａからの信号入力を受け付けた外部アクセス時での、報知の有無や態様を設定する。モニター内容設定部８２は、外部アクセス時に実行される処理内容を設定する。設定登録管理部８３は、キーボード３１及び表示部３２を用いた操作に伴い、外部アクセス方法設定部８１及びモニター内容設定部８２で設定された各種設定の登録や管理を行う。
【００２５】
ここで、モニター内容設定部８２で設定された処理内容としては、例えば、携帯端末装置１０の表示部３２の表示内容を他端末１０Ａに送信する処理と、携帯端末装置１０で起動されているプログラムの種類（動作内容）を他端末１０Ａに送信する処理とが挙げられる。なお、これらの表示内容や動作内容は、他端末１０Ａからの外部アクセス時での携帯端末装置１０の使用状況を示している。
【００２６】
他端末１０Ａは、遠隔制御対象である携帯端末装置１０と通信を行う携帯電話機であって、図１（ａ）に示すように、無線部１１Ａ、アンテナ１２Ａ、ベースバンド部１３Ａ、キーボード３１Ａ及び表示部３２Ａ、制御部９１、信号送信部９２及びデータ受付部９３を備える。
【００２７】
信号送信部９２は、キーボード３１Ａを用いた携帯端末装置１０への発信又は発呼に後続して、信号入力の許可信号が携帯端末装置１０から送信された後に、キーボード３１Ａを用いた所定の入力があると、この所定の入力に対応する信号を携帯端末装置１０に送信する。なお、所定の入力に対応する信号とは、例えば、キーボード３１Ａのテンキーの押下に応じて生成される信号であって、上記指示情報を含む。
【００２８】
データ受付部９３は、携帯端末装置１０から送信された、外部アクセス時での使用状況を示すデータを受け付ける。また、制御部９１は、表示部３２Ａを制御して、データ受付部９３で受け付けたデータを表示部３２Ａに表示する。従って、他端末１０Ａでは、携帯端末装置１０から送信される表示内容や動作内容を受信して、外部アクセス時での携帯端末装置１０の使用状況をモニターできる。
【００２９】
次に、図２を参照して、携帯端末装置１０の動作について説明する。ここでは、一例として、ユーザが携帯端末装置１０を紛失し、携帯端末装置１０が第三者により使用される状況を考慮している。以下では、ユーザが携帯端末装置１０に予め設定を行い、他端末１０Ａからの外部アクセスを受付け、かつ、携帯端末装置１０の使用状況を示すデータを他端末１０Ａへ送信する一連の動作について説明する。
【００３０】
まず、設定部８０の外部アクセス方法設定部８１及びモニター内容設定部８２は、キーボード３１や表示部３２の操作に応じて、他端末１０Ａからの外部アクセスに対する携帯端末装置１０の応答や処理内容の設定を行う（ステップＳ１１）。設定登録管理部８３は、ステップＳ１１による設定を登録し管理する（ステップＳ１２）。
【００３１】
次に、図３及び図４を参照して、ステップＳ１１で外部アクセスに対する携帯端末装置１０の応答（外部アクセス方法）を設定する動作について説明する。なお、外部アクセス方法の設定とは、他端末１０Ａからの外部アクセスを受け付けるか否か、また、受け付ける際には自端末内で報知を行うか否か、報知する際にはどのような態様とするか、を設定することをいう。
【００３２】
まず、外部アクセス方法設定部８１は、キーボード３１の操作に応じて表示部３２を制御して、外部アクセス方法を設定するためのメニュー画面を表示する（ステップＳ２１）。次に、ステップＳ２２で外部アクセス方法の設定を行うときには（Ｙ）、外部アクセス方法設定部８１は、表示部３２を制御して、図４（ａ）に示す外部アクセス機能設定画面３２Ｂを表示する（ステップＳ２３）。
【００３３】
続いて、ステップＳ２４で外部アクセス機能設定画面３２Ｂの「Ｙｅｓ」が選択されると、外部アクセス方法設定部８１は、外部アクセス機能ＯＮを確定する（ステップＳ２５）。さらに、外部アクセス方法設定部８１は、表示部３２を制御して、外部アクセスを許可する他端末１０Ａを登録するための登録画面を表示する（ステップＳ２６）。
【００３４】
次に、外部アクセス方法設定部８１は、他端末１０Ａの電話番号やメールアドレス等を含む識別情報を設定登録管理部８３に登録し、他端末１０Ａを、外部アクセスを許可する端末とする登録を完了する（ステップＳ２７）。
【００３５】
続いて、外部アクセス方法設定部８１は、表示部３２を制御して、図４（ｂ）に示す外部アクセス時の動作設定画面３２Ｃを表示する（ステップＳ２８）。動作設定画面３２Ｃで、キーボード３１の操作に応じて「報知無し」が選択されると（ステップＳ２９）、外部アクセス方法設定部８１は、外部アクセス時には報知を行わない設定を確定し（ステップＳ３０）、外部アクセス方法の設定を終了する（ステップＳ３１）。
【００３６】
また、ステップＳ２８の動作設定画面３２Ｃで、「スピーカーで報知」が選択されると（ステップＳ３２）、外部アクセス方法設定部８１は、外部アクセス時にはスピーカーで報知する設定を確定し（ステップＳ３３）、上記ステップＳ３１に進む。また、ステップＳ２８の動作設定画面３２Ｃで、「バイブモータで報知」が選択されると（ステップＳ３４）、外部アクセス方法設定部８１は、外部アクセス時にはバイブモータで報知する設定を確定し（ステップＳ３５）、上記ステップＳ３１に進む。
【００３７】
一方、上記ステップＳ２２，Ｓ２４で外部アクセス方法の設定を行わない場合には、外部アクセス方法設定部８１は、外部アクセス方法の設定ＯＦＦを確定し（ステップＳ３６）、上記ステップＳ３１に進む。ステップＳ３１で外部アクセス方法の設定が終了すると、表示部３２は、通常の待ち受け画面に戻る（ステップＳ３７）。
【００３８】
続いて、図５及び図６を参照して、ステップＳ１１で外部アクセスに対する携帯端末装置１０の処理内容（モニター内容）を設定する動作について説明する。ここで、モニター内容の設定とは、他端末１０Ａからの外部アクセス時に、携帯端末装置１０の使用状況を示すデータを他端末１０Ａに送信するか否か、データを送信する際には表示内容又は動作内容のいずれかを送信するか、を設定することをいう。
【００３９】
まず、モニター内容設定部８２は、キーボード３１の操作に応じて表示部３２を制御して、外部アクセス時のモニター内容を設定するためのメニュー画面を表示する（ステップＳ４１）。次に、ステップＳ４２でモニター内容の設定を行うときには（Ｙ）、モニター内容設定部８２は、表示部３２を制御して、図６（ａ）に示す外部アクセス時のモニター内容設定画面３２Ｄを表示する（ステップＳ４３）。
【００４０】
続いて、ステップＳ４４でモニター内容設定画面３２Ｄの「Ｙｅｓ」が選択されると、モニター内容設定部８２は、表示部３２を制御して、図６（ｂ）に示す外部アクセス（着呼）時のモニター内容選択画面３２Ｅを表示する（ステップＳ４５）。ここで、モニター内容選択画面３２Ｅには、各モニター内容として、「通常呼び出し」「表示内容を表示」及び「動作内容を表示」が表示されている。次に、モニター内容設定部８２は、モニター内容選択画面３２Ｅに表示されている各モニター内容に、キーボード３１の操作に伴って１から９の数字をそれぞれ割り振り（ステップＳ４６）、モニター内容の設定を終了する（ステップＳ４７）。
【００４１】
一方、上記ステップＳ４２，Ｓ４４でモニター内容の設定を行わない場合には、モニター内容設定部８２は、モニター内容の設定ＯＦＦを確定し（ステップＳ４８）、予め設定されていたモニター内容が維持された状態で、モニター内容の設定を終了する（ステップＳ４７）。ステップＳ４７でモニター内容の設定が終了すると、表示部３２は、通常の待ち受け画面に戻る（ステップＳ４９）。
【００４２】
以上、図３〜図６を参照して説明した、図２に示すステップＳ１１の各設定は、上記したように、ステップＳ１２で設定登録管理部８３に登録される。なお、設定登録管理部８３に登録された各設定は、例えば記憶部５０に記憶される。続いて、再び図２に戻り、ユーザが紛失した携帯端末装置１０に対して、ユーザが他端末１０Ａを用いて外部アクセスを行う場合における携帯端末装置１０の動作について説明する。
【００４３】
まず、ステップＳ１１，１２で外部アクセス方法及びモニター内容が設定された携帯端末装置１０に対して、他端末１０Ａから外部アクセスがあると（ステップＳ１３）、まず、判定部４０は、外部アクセスに含まれる識別情報と、記憶部５０に記憶されている識別情報とを比較し、他端末１０Ａが、外部アクセスを許可するものとして登録されているか否かを判定する。そして、両者の識別情報が一致すれば、判定部４０による判定（認証）が完了する（ステップＳ１４）。ここで、両者の識別情報が不一致であれば、携帯端末装置１０は、通常の着呼又は着信処理に移行して、他端末１０Ａからの外部アクセスによる信号入力を受け付けない。このため、携帯端末装置１０では、外部アクセスを許可されていない一般の端末から遠隔制御されることはない。
【００４４】
次に、ステップＳ１４で両者の識別情報が一致するとの判定を得ると、報知選択部７２は、外部アクセス方法の設定に従い記憶部５０に記憶された、図４（ｂ）に示す「報知無し」、「スピーカーで報知」及び「バイブモータで報知」のいずれかを選択する。そして、携帯端末装置１０は、選択された動作を行う。
【００４５】
続いて、信号入力受付部６０は、他端末１０Ａからの信号入力を受け付ける。次に、処理選択部２１は、他端末１０Ａからの受け付けられた信号入力に含まれる指示情報に従って、記憶部５０を検索して、信号入力に対応する処理を選択する（ステップＳ１５）。なお、処理選択部２１は、指示情報が、数字「１」を示す情報であれば、「通常呼び出し」、数字「２」を示す情報であれば、「表示内容を表示」、数字「３」を示す情報であれば、「動作内容を表示」という処理がそれぞれ選択される。
【００４６】
次に、処理実行部２２は、処理選択部２１によって選択された上記各処理を実行して、携帯端末装置１０の外部アクセス時の使用状況を示すモニター内容（表示内容又は動作内容）を、外部アクセスを行った他端末１０Ａへ送信する（ステップＳ１６）。なお、モニター内容を送信しない際には、外部アクセス時に通常の呼び出しを行う。
【００４７】
他端末１０Ａでは、携帯端末装置１０からのモニター内容を示すデータをデータ受付部９３で受け付け、制御部９１が表示部３２Ａを制御して、モニター内容を表示する。このようにして、他端末１０Ａでは、携帯端末装置１０にアクセスして、使用状況をモニターできる。
【００４８】
本実施形態の携帯端末装置は、リモートコントロール機能を有する携帯端末装置であって、リモートコントロール機能が、着信又は着呼に応答して、発信元又は発呼元が登録されている発信元又は発呼元と一致するか否かを判定する判定装置と、判定装置によって一致が判定されると、発信元又は発呼元から信号入力を受け付ける信号入力受付装置と、信号入力受付装置で受け付けられた信号入力によって指定された所定の処理を実行する信号処理部と、によって実行される。
【００４９】
上記構成を採用することによって、判定装置が、発信元又は発呼元の端末自体の正当性を判定するので、第三者が、正当性を有しない一般の端末を用いた場合には、遠隔制御を行うことはできない。従って、安全性を確保した上で遠隔制御を行うことができる。
【００５０】
また、信号処理部は、受け付けられた信号入力に従って、処理内容を記憶する記憶装置を検索して、信号入力に対応する処理を選択する選択部と、選択部によって選択された処理を実行する処理実行部とを有する。これにより、信号入力に対応した処理内容を選択して実行できる。
【００５１】
また、記憶装置に記憶される処理が、携帯端末装置の表示部の表示内容を送信する処理と、携帯端末装置で起動されているプログラムの種類を送信する処理と、処理中のプログラムを停止する処理との少なくとも１つを含む。これにより、信号入力を受け付けた際での携帯端末装置の使用状況を、発信元又は発呼元で把握できる。さらに、処理中のプログラムを停止する処理を実行すれば、発信元又は発呼元からの指示により、例えば、紛失して手元にない携帯端末装置が、第三者によって不正に使用されることを防止できる。
【００５２】
また、リモートコントロール機能を有効又は無効とする機能選択部を更に有してもよい。また、発信元又は発呼元が登録されているときに、着信又は着呼に対する報知を行うか否か、及び報知を行う際には報知の態様を選択する報知選択部を更に備える。これにより、着信又は着呼があっても報知を行わなければ、遠隔制御対象の携帯端末装置に対して外部からアクセスしていることが第三者に気付かれない。また、報知を行う場合には、例えばスピーカによる音声やバイブレータによる振動を選択してもよい。
【００５３】
また、上記携帯端末装置と通信を行う携帯端末装置は、発信又は発呼に連続して所定の入力があると、該所定の入力に対応する信号を発信先又は発呼先の携帯端末装置に送信する信号送信部と、信号送信部の発信先又は発呼先の携帯端末装置からデータを受け付けるデータ受付部と、を備える。上記構成を採用することによって、発信先又は発呼先の遠隔制御対象の携帯端末装置に対して、発信又は発呼に連続して所定の入力を行い、遠隔制御を指示する信号を送信できる。この信号は、例えば、発信元又は発呼元の携帯端末装置自体の識別情報を含んでおり、第三者が別の端末を用いても遠隔制御を行うことはできない。さらに、発信先又は発呼先の携帯端末装置からのデータを受け付けることで、携帯端末装置の使用状況を把握できる。
【００５４】
本実施形態の携帯端末装置１０では、他端末１０Ａからのアクセスを可能とし、携帯端末装置１０の使用状況を他端末１０Ａでモニターできる。このため、ユーザが携帯端末装置１０を紛失した場合であっても、ユーザが他端末１０Ａを用いることで、携帯端末装置１０で起動中のプログラムの種類や表示部３２に表示されている表示内容を把握できる。これにより、携帯端末装置１０は、個人情報の漏洩状況を把握することもでき、利便性を高めることができる。
【００５５】
次に、上記実施形態では、図５及び図６を用いて、外部アクセスの着呼時での携帯端末装置１０の処理内容を説明したが、これに限定されない。即ち、他端末１０Ａからの外部アクセスを、電話による電話着呼時と、メールによるメール着信時とに区分し、それぞれの場合での処理内容を個別に設定してもよい。以下、図７及び図８を参照して説明する。
【００５６】
図７に示す処理は、図５で示した上記ステップＳ４５，Ｓ４６の処理に代えて、ステップＳ５１〜Ｓ５６の処理を行う点で、図５に示した処理と異なる。以下では、このステップＳ５１〜Ｓ５６について主に説明する。ステップＳ４４で図６（ａ）に示すモニター内容設定画面３２Ｄの「Ｙｅｓ」が選択されると、モニター内容設定部８２は、表示部３２を制御して、図８（ａ）に示すモニター内容選択画面３２Ｆを表示する（ステップＳ５１）。ここで、モニター内容選択画面３２Ｆには、各モニター内容として、「電話着呼時のモニター内容」及び「メール着信時のモニター内容」が表示されている。
【００５７】
次に、モニター内容設定部８２は、モニター内容選択画面３２Ｆに表示されている各モニター内容に、キーボード３１の操作に応じて１から９の数字をそれぞれ割り振る（ステップＳ５２）。ステップＳ５２で電話着呼時のモニター内容を選択すると、モニター内容設定部８２は、表示部３２を制御して、図８（ｂ）に示すモニター内容選択画面３２Ｇを表示する（ステップＳ５３）。さらに、モニター内容設定部８２は、モニター内容選択画面３２Ｇに表示されている各モニター内容に、キーボード３１の操作に応じて１から９の数字をそれぞれ割り振る（ステップＳ５４）。
【００５８】
また、ステップＳ５２でメール着信時のモニター内容を選択すると、モニター内容設定部８２は、表示部３２を制御して、図８（ｃ）に示すモニター内容選択画面３２Ｈを表示する（ステップＳ５５）。さらに、モニター内容設定部８２は、モニター内容選択画面３２Ｈに表示されている各モニター内容に、キーボード３１の操作に応じて１から９の数字をそれぞれ割り振る（ステップＳ５６）。ステップＳ５４，Ｓ５６以降は、ステップＳ４７に進み、モニター内容の設定を終了する。
【００５９】
このように、携帯端末装置１０では、図７及び図８に示す各処理を行うことで、他端末１０Ａからの電話着呼時又はメール着信時に対応して、他端末１０Ａに送信されるモニター内容を予め適宜設定できる。
【００６０】
また、上記実施形態では、モニター内容設定部８２で設定された処理内容として、携帯端末装置１０の表示内容や動作内容を他端末１０Ａに送信する例を挙げたが、これに限られず、処理中のプログラムを停止する処理を実行してもよい。このようにすれば、他端末１０Ａからの指示により、携帯端末装置１０が、第三者により不正利用されることを防止できる。
【００６１】
また、上記実施形態では、携帯端末装置１０を紛失して、ユーザの携帯端末装置１０が手元にない場合について説明したが、これに限定されない。一例として、保護者である親が他端末１０Ａを所持し、かつ、子供が携帯端末装置１０を所持している場合には、親の他端末１０Ａから子供の携帯端末装置１０にアクセスして、携帯端末装置１０の使用状況を示すデータを取得してもよい。このようにすれば、子供が携帯端末装置１０で有害サイトへアクセスし、また、他人に迷惑をかけるような不正な使用をしていた場合に、保護者である親は、携帯端末装置１０の使用について子供に注意を促すことができる。
【００６２】
また、他端末１０Ａは、携帯電話機としたが、これに限定されず、固定電話であってもよい。このようにすれば、他端末１０Ａを紛失する虞がないので、より安全性を確保した上で携帯端末装置１０への遠隔制御が可能となる。
【００６３】
以上、本発明をその好適な実施形態に基づいて説明したが、本発明の携帯端末装置、その制御方法及びプログラムは、上記実施形態の構成にのみ限定されるものではなく、上記実施形態の構成から種々の修正及び変更を施したものも、本発明の範囲に含まれる。
【図面の簡単な説明】
【００６４】
【図１】（ａ）及び（ｂ）は、本発明の一実施形態に係る携帯端末装置の構成を示すブロック図。
【図２】携帯端末装置の動作を示すフローチャート。
【図３】外部アクセス方法を設定する動作を示すフローチャート。
【図４】（ａ）及び（ｂ）は、外部アクセス方法を設定する際の設定画面を示す図。
【図５】モニター内容を設定する動作を示すフローチャート。
【図６】（ａ）及び（ｂ）は、モニター内容を設定する際の設定画面を示す図。
【図７】電話着呼又はメール着信に応じたモニター内容を設定する動作を示すフローチャート。
【図８】（ａ）〜（ｃ）は、電話着呼又はメール着信に応じたモニター内容を設定する際の設定画面を示す図。
【符号の説明】
【００６５】
１０：携帯端末装置
１０Ａ：他端末
１１，１１Ａ：無線部
１２，１２Ａ：アンテナ
１３，１３Ａ：ベースバンド部
２０：信号処理部
２１：処理選択部
２２：処理実行部
３１，３１Ａ：キーボード
３２，３２Ａ：表示部
３２Ｂ〜３２Ｈ：設定画面
４０：認証部（判定部）
５０：記憶部
６０：信号入力受付部
７１：機能選択部
７２：報知選択部
８０：設定部
８１：外部アクセス方法設定部
８２：モニター内容設定部
８３：設定登録管理部
９１：制御部
９２：信号送信部
９３：データ受付部
【図１】
2010109853.tif 000003
【図２】
2010109853.tif 000004
【図３】
2010109853.tif 000005
【図４】
2010109853.tif 000006
【図５】
2010109853.tif 000007
【図６】
2010109853.tif 000008
【図７】
2010109853.tif 000009
【図８】
2010109853.tif 000010